(57)【要約】      （修正有）【課題】各種作業及びジョギングなどの運動をする際に、汗を拭く首に巻いたタオルが、ずり落ちる又は風に煽られるなどして落下するのをタオルの結び目を作らなくても防止して、広範囲に渡って長時間汗を容易に綺麗に拭き取ることを可能にした汗拭きタオル落下防止具を提供する。【解決手段】落下防止具本体２に右首紐部３を設け、右首紐部３の前方先部に右紐結部４を設け、更に右首紐部４の後方先部に右タオル留部５を設け、同じく落下防止具本体２に右首紐部３と対称構成にて左首紐部６を設け、左首紐部６の前方先部に左紐結部７を設け、更に左首紐部７の後方先部に左タオル留部８を設けて一体形成した汗拭きタオル落下防止具。【選択図】図１
2017000684.tif 000002
【特許請求の範囲】
【請求項１】
落下防止具本体に右首紐部を設け、右首紐部の前方先部に右紐結部を設け、更に右首紐部の後方先部に右タオル留部を設け、同じく落下防止具本体に右首紐部と対称構成にて左首紐部を設け、左首紐部の前方先部に左紐結部を設け、更に左首紐部の後方先部に左タオル留部を設けて一体形成したことを特徴とする汗拭きタオル落下防止具。
【請求項２】
右紐結部と左紐結部に一対の脱着自在の面ファスナー部を設けたことを特徴とする請求項１に記載の汗拭きタオル落下防止具。
【請求項３】
右タオル留部と左タオル留部にそれぞれ脱着自在の面ファスナー部を備えた右留結部と左留結部を設けたことを特徴とする請求項１又は請求項２に記載の汗拭きタオル落下防止具。
【発明の詳細な説明】
【技術分野】
【０００１】  本発明は、各種作業及びジョギングなどの運動をする際に、汗を拭く首に巻いたタオルが、ずり落ちる又は風に煽られるなどして落下するのを防止する汗拭きタオル落下防止具に関するものである。
【背景技術】
【０００２】  従来、各種作業及びジョギングなどの運動をする際に、汗を拭く首に巻いたタオルが、ずり落ちる又は風に煽られるなどして落下するのを防止する為に、タオルの両先部を首前で結ぶ又はタオルの両端を襟元から内に差し入れるなどしていた。  また、タオルを首に及び腕に巻いてもタオルがずり落ちず、タオルの結び目を作らなくてもずり落ちない、タオルの両側に切り込み口を入れ、ボタンホールの穴かがり縫いを行い、貫通口を設けた襟巻きタオルが知られている。（特許文献１参照）。
【先行技術文献】
【特許文献】
【０００３】
【特許文献１】特開２００４−０４９８５７号広報
【発明の概要】
【発明が解決しようとする課題】
【０００４】  しかしながら、特許文献１の襟巻きタオルは、汗拭きに使用が可能なタオルの部位は貫通口より外に出た部分に限定される構造であり、故に汗の拭ける範囲が狭く、顔面額の上部位辺り及び耳の後ろ部位辺り更には首の後ろ部位辺りの汗を拭くのは困難である。また、使用可能なタオルの部位が限定的である為に、拭いた汗で濡れている部位を繰り返し使用しなければならず、因って長時間の使用は不快で不衛生であると云う問題が生じる、と同時に肝心の汗を綺麗に拭きとる目的を果たすことが不可能だった。  そして、特許文献１の襟巻きタオルは汗拭き専用に制作されるものであり、既存のタオルを手軽に使用出来ないので不便であると共に不経済である。  本発明は、以上の問題点を解決する為になされたものである。
【課題を解決するための手段】
【０００５】  落下防止具本体に右首紐部を設け、右首紐部の前方先部に右紐結部を設け、更に右首紐部の後方先部に右タオル留部を設け、同じく落下防止具本体に右首紐部と対称構成にて左首紐部を設け、左首紐部の前方先部に左紐結部を設け、更に左首紐部の後方先部に左タオル留部を設けて一体形成したことを特徴とする汗拭きタオル落下防止具。
【発明の効果】
【０００６】  従来不可能とされていた既存のタオルを、各種作業及びジョギングなどの運動をする際に、汗を拭く首に巻いたタオルが、ずり落ちる又は風に煽られるなどして落下するのをタオルの結び目を作らなくても防止して、顔面などを広範囲に渡って繰り返し長時間汗を容易に綺麗に拭き取ることを本発明により可能にした。  そして、本発明は既存のタオルが使用できるので経済的であることは勿論、特別な技術を必要としないで手軽に老若男女が、汗を拭く首に巻いたタオルの落下を心配しないで、安心して心地よく各種作業及びジョギングなどの運動に集中できる。
【図面の簡単な説明】
【０００７】
【図１】本発明の斜視図
【図２】本発明の斜視図
【図３】本発明の使用状態を示す斜視図
【図４】本発明の使用状態を示す斜視図
【発明を実施するための形態】
【０００８】  以下本発明の実施の形態を説明する。（ア）最初に、汗拭きタオル落下防止具（１）は老若男女の区別はない形状構成であり、      この実施の形態に於いては成人男性用の汗拭きタオル落下防止具（１）を図示（図      １、図２、図３、図４）して説明する。（イ）本発明の汗拭きタオル落下防止具（１）は、紐状又は帯状の落下防止具本体（２）      に各部をそれぞれ設けて一体形成したものである。（ウ）請求項１の図１は、落下防止具本体（２）に右首紐部（３）を設け、右首紐部（３      ）の前方先部に右紐結部（４）を設け、更に右首紐部（３）の後方先部に右タオル      留部（５）を設け、同じく落下防止具本体（２）に右首紐部（３）と対称構成にて      左首紐部（６）を設け、左首紐部（６）の前方先部に左紐結部（７）を設け、更に      左首紐部（６）の後方先部に左タオル留部（８）を設けて一体形成する。（エ）請求項２の図１は、右紐結部（４）と左紐結部（７）に一対の脱着自在の面ファス      ナー部（１１）をそれぞれ設けて結合着したものである。（オ）請求項３の図１は、右タオル留部（５）と左タオル留部（８）にそれぞれ脱着自在      の面ファスナー部（１１）を備えた右留結部（９）と左留結部（１０）を設けて結      合着したものである。（カ）請求項１の図２は、一対の右紐結部（４）と左紐結部（７）の面ファスナー部（１      １）及び右留結部（９）と左留結部（１０）のそれぞれの各面ファスナー部（１１      ）を解脱したものである。（キ）図３は、汗拭きタオル落下防止具（１）にタオル（Ｔ）を装着したものである。（ク）図４は、使用者（Ｓ）がタオル（Ｔ）を装着した汗拭きタオル落下防止具（１）を      首（Ｋ）に巻いて使用準備が完了したものである。      以下、これらの各部位を個別に順次詳しく説明する。（ケ）まず、右首紐部（３）と左首紐部（６）は、同一の紐状及び帯状の柔軟材質の肌触      りの良い綿材などで、それぞれ全長２０ｃｍ位（成人男性用）である。（コ）右紐結部（４）と左紐結部（７）は、それぞれ全長５ｃｍ位で、右紐結部（４）の      左紐結部（７）に当接する側面の表面に面ファスナー部（１１）を接着剤及び縫製      で止着して設け、同じく左紐結部（７）の右紐結部（４）に当接する側面の表面に      一対の面ファスナー部（１１）を接着剤及び縫製で止着して設ける。（サ）次に、右タオル留部（５）は、紐状及び帯状の柔軟材質の肌触りの良い綿材などで      、直径５ｃｍ位の輪形状であり、右首紐部（３）の後方先部に接着剤及び縫製で止      着して設ける。（シ）同じく、左タオル留部（８）は、紐状及び帯状の柔軟材質の肌触りの良い綿材など      で、直径５ｃｍ位の輪形状であり、左首紐部（６）の後方先部に接着剤及び縫製で      止着して設ける。（ス）右タオル留部（５）に、接着剤及び縫製で止着した脱着自在の面ファスナー部（１      １）を備えた右留結部（９）を設ける。（セ）同じく、左タオル留部（８）に、接着剤及び縫製で止着した脱着自在の面ファスナ      ー部（１１）を備えた左留結部（１０）を設ける。  本発明は以上のような構造である。  本発明を使用するときは、まず使用するタオル（Ｔ）を大まかに丸めて、タオル（Ｔ）（標準サイズ全長８０ｃｍ）の両先端からそれぞれ中央に向かって２７ｃｍ位（成人男性用）の位置に、バンドで締めて留めるように汗拭きタオル落下防止具（１）の右タオル留部（５）及び左タオル留部（８）にタオル（Ｔ）を装着する。次に、従来の汗を拭くタオル（Ｔ）を首（Ｋ）に巻く要領で、タオル（Ｔ）の中央付近部位が使用者（Ｓ）の首（Ｋ）の真後ろ部位に当接するようにタオル（Ｔ）を首（Ｋ）に巻く。この時に、右首紐部（３）の先端部が使用者（Ｓ）の右胸に当接するように垂らした状態にして、同じく左首紐部（６）の先端部が使用者（Ｓ）の左胸に当接するように垂らした状態にする。  そして、右紐結部（４）と左紐結部（７）を使用者（Ｓ）の鎖骨に当接する付近にて合わせて、それぞれに設けている一対の面ファスナー部（１１）にて結合着させて、汗拭きタオル落下防止具（１）に汗を拭くタオル（Ｔ）を装着して使用する準備が完了である。  尚、使用するタオル（Ｔ）は市販されている既存の標準サイズが好ましい。  使用方法は、従来の首に巻いたタオル（Ｔ）で汗を拭く動作と同じ要領なので、老若男女が特別の技術を必要としないで容易に、汗拭きタオル（Ｔ）がずり落ちる及び風に煽られるなどして落下すのを心配しないで、安心して心地よく各種作業及びジョギングなどの運動に集中できる。
【符号の説明】
【０００９】  １汗拭きタオル落下防止具  ２落下防止具本体  ３右首紐部  ４右紐結部  ５右タオル留部  ６左首紐部  ７左紐結部  ８左タオル留部  ９右留結部  １０左留結部  １１面ファスナー部  Ｔタオル  Ｓ使用者  Ｋ首
【図１】
2017000684.tif 000003
【図２】
2017000684.tif 000004
【図３】
2017000684.tif 000005
【図４】
2017000684.tif 000006